(57)【要約】【課題】頑丈で引っ掛かり難く、また、いたずらを受け難く、さらに、見栄えも良い自動ドア装置のドア連結ベースセットを提供する。【解決手段】ボルト１５と、ナット１６と、コ字状の押出品となる連結アルミベース１７と、連結アルミベース１７に対してスライド自在となる連結金具ベース１４と、連結アルミベース１７の背面に取り付けられるとともに扉２に固定される扉連結ベース１８と、連結アルミベース１７の正面に取り付けられる蓋用プレート１９と、を備えてドア連結ベースセット１２を構成する。連結アルミベース１７は、座板押さえ部２９を形成してボルト１５のスライドを自在とするボルトスライド溝２８を有し、連結金具ベース１４及び扉連結ベース１８はそれぞれ座板押さえ部２９の上をスライドするスライド固定部３３を有する。【選択図】図２
2008101328.tif 000002
【特許請求の範囲】
【請求項１】
座板及び該座板に立設する雄ネジを有する複数のボルトと、
雌ネジを有し前記ボルトに取り付く複数のナットと、
下壁及び左右側壁を有するとともに正面、背面、及び上面が開口するコ字状の押出品となる連結アルミベースと、
自動ドア装置のタイミングベルト側に取り付けられるとともに前記連結アルミベースに対してスライド自在となる連結金具ベースと、
前記連結アルミベースの前記背面に取り付けられるとともに扉に固定される扉連結ベースと、
前記連結アルミベースの前記正面に取り付けられる蓋用プレートと、
を備え、
前記連結アルミベースは座板押さえ部を形成して前記正面から前記背面にかけての前記ボルトのスライドを自在とするボルトスライド溝を前記下壁の内面に有し、
前記連結金具ベース及び前記扉連結ベースはそれぞれ前記座板押さえ部の上をスライドするとともに前記ボルトの前記雄ネジを挿通するスリットと前記ナットに対する座面とを形成したスライド固定部を有する
ことを特徴とする自動ドア装置のドア連結ベースセット。
【請求項２】
請求項１に記載の自動ドア装置のドア連結ベースセットにおいて、
前記蓋用プレートは前記連結アルミベースの内側でビス止めされる内側固定部を一体に有する
ことを特徴とする自動ドア装置のドア連結ベースセット。
【請求項３】
請求項１又は請求項２に記載の自動ドア装置のドア連結ベースセットにおいて、
前記連結金具ベースのスライド量を示す位置調節部材を更に備える
ことを特徴とする自動ドア装置のドア連結ベースセット。
【発明の詳細な説明】
【技術分野】
【０００１】
本発明は、自動ドア装置に関し、詳しくは、例えばアルミ框ドアや木製ドアなどの引戸に自動ドア装置を後付けする際に好適なドア連結ベースセットに関する。
【背景技術】
【０００２】
既存の手動ドアに自動ドア装置を取り付けて自動ドアに改造することは従来より実施されている。
【０００３】
手動ドアの正面から自動ドア装置本体の取り付け面までの寸法は、現状様々な寸法がある。従って、既存の手動ドアを自動ドアに改造する際に問題点となることは、手動ドアと装置本体とを連結する連結部材（ドア連結ベースセット）が複数種類必要になってしまうことである。連結部材が複数種類必要になると、在庫管理の面が非効率的になってしまう。
【０００４】
例えば下記特許文献１には、上記問題点を解消することが可能なスライド式の連結部材等が開示されている。以下、スライド式の連結部材について簡単に説明する。このスライド式の連結部材は、プレートをＬ字状に折り曲げて形成されるＬ字状連結ベースと、同じくＬ字状で自動ドア装置本体に取り付けられるＬ字状金具と、固定用のボルトとを備えて構成されている。
【０００５】
Ｌ字状連結ベースにおける一方の折り曲げ形成部分は、扉にビス止めされるようになっている。また、他方の折り曲げ形成部分は、扉から装置本体の取り付け面までの最大寸法の範囲でＬ字状金具をスライドさせることができるような形状になっている。Ｌ字状金具は、所望の位置でボルトにより他方の折り曲げ形成部分に固定されるようになっている。
【特許文献１】特開平１１−２４１５６０号公報
【発明の開示】
【発明が解決しようとする課題】
【０００６】
ところで、上記従来技術にあっては、扉から装置本体の取り付け面までの寸法が最大寸法に比べて十分に小さい場合、Ｌ字状連結ベースにおける他方の折り曲げ形成部分が突き出してしまうことになる。この突き出しは、連結部材が自動ドア装置本体のカバーで覆われることのない場合に見栄えが悪くなるのは勿論のこと、次のような問題点を有している。すなわち、床から他方の折り曲げ形成部分までの高さによっては、この他方の折り曲げ形成部分に例えば運搬物などが引っ掛かってしまう恐れがあり、引っ掛かりが生じて床方向へ強い力が加わると、連結部材の変形や自動ドア装置本体の破損・損傷等の不具合が発生してしまうという可能性を含んでいる。
【０００７】
また、上記従来技術にあっては、連結部材が自動ドア装置本体のカバーで覆われることのない場合で尚かつ扉が人目に付き難い場所にあると、扉に固定される部分となる一方の折り曲げ形成部分のビスが緩められるというないたずらを受ける可能性を含んでいる。尚、ビス止めは、見栄えが悪くなるという問題点も有している。
【０００８】
本発明は、上述した事情に鑑みてなされたもので、頑丈で引っ掛かり難く、また、いたずらを受け難く、さらに、見栄えも良い自動ドア装置のドア連結ベースセットを提供することを課題とする。
【課題を解決するための手段】
【０００９】
上記課題を解決するためになされた請求項１記載の本発明の自動ドア装置のドア連結ベースセットは、座板及び該座板に立設する雄ネジを有する複数のボルトと、雌ネジを有し前記ボルトに取り付く複数のナットと、下壁及び左右側壁を有するとともに正面、背面、及び上面が開口するコ字状の押出品となる連結アルミベースと、自動ドア装置のタイミングベルト側に取り付けられるとともに前記連結アルミベースに対してスライド自在となる連結金具ベースと、前記連結アルミベースの前記背面に取り付けられるとともに扉に固定される扉連結ベースと、前記連結アルミベースの前記正面に取り付けられる蓋用プレートと、を備え、前記連結アルミベースは座板押さえ部を形成して前記正面から前記背面にかけての前記ボルトのスライドを自在とするボルトスライド溝を前記下壁の内面に有し、前記連結金具ベース及び前記扉連結ベースはそれぞれ前記座板押さえ部の上をスライドするとともに前記ボルトの前記雄ネジを挿通するスリットと前記ナットに対する座面とを形成したスライド固定部を有することを特徴としている。
【００１０】
このような特徴を有する本発明によれば、連結アルミベースが押出品であることから、この連結アルミベースを必要長さで切断しても同じ端面（断面）形状が得られる。従って、連結アルミベースは、扉から装置本体の取り付け面までの寸法に合わせた全長のものを切断によって一つ用意すればよいことになる。連結アルミベースは、押出品でありコ字状に形成されることから、単なるプレートで対応するよりも格段に高い強度を有する。尚、扉連結ベースの幅を考慮して連結アルミベースの左右側壁の間隔を設定すれば、連結アルミベースは扉連結ベースが捻れないようにガイドの機能を発揮する。
【００１１】
本発明によれば、連結アルミベースの下壁内面にボルトスライド溝が形成され、このボルトスライド溝にボルトがスライド自在に取り付けられる。また、連結金具ベース及び扉連結ベースは、それぞれボルトスライド溝の座板押さえ部の上をスライドし、所望の位置でボルト及びナットにより締め付け固定される。ボルト及びナットによる締め付け固定は、コ字状の連結アルミベースの内側となり、また、扉連結ベースと扉との固定部分もコ字状の連結アルミベースで囲われることから、見栄えの向上やいたずら対策に効果的である。
【００１２】
本発明によれば、連結アルミベースの正面が蓋用プレートで覆われる。これにより、ボルト及びナットによる締め付け固定の部分は隠れることになる。見栄えの向上やいたずら対策に効果的である。また、連結アルミベースの正面が蓋用プレートで覆われることにより、例えば運搬物などの引っ掛かりが阻止される。
【００１３】
請求項２記載の本発明の自動ドア装置のドア連結ベースセットは、請求項１に記載の自動ドア装置のドア連結ベースセットにおいて、前記蓋用プレートは前記連結アルミベースの内側でビス止めされる内側固定部を一体に有することを特徴としている。
【００１４】
このような特徴を有する本発明によれば、外観から全くビスが露出しない状態になり、見栄えの向上やいたずら対策に効果的である。
【００１５】
請求項３記載の本発明の自動ドア装置のドア連結ベースセットは、請求項１又は請求項２に記載の自動ドア装置のドア連結ベースセットにおいて、前記連結金具ベースのスライド量を示す位置調節部材を更に備えることを特徴としている。
【００１６】
このような特徴を有する本発明によれば、扉から装置本体の取り付け面までの寸法が調節し易くなる。作業性の向上を図ることが可能になる。
【発明の効果】
【００１７】
本発明によれば、頑丈で引っ掛かり難く、また、いたずらを受け難く、さらに、見栄えも良い自動ドア装置のドア連結ベースセットを提供することができるという効果を奏する。
【発明を実施するための最良の形態】
【００１８】
以下、図面を参照しながら説明する。図１は本発明の自動ドア装置のドア連結ベースセットの一実施の形態を示す図であり、（ａ）は自動ドア装置の概略構成図、（ｂ）は自動ドア装置及び扉の正面図である。また、図２はドア連結ベースセットの斜視図、図３は連結アルミベース、扉連結ベース、ボルト及びナットの斜視図、図４は連結アルミベースを扉に固定する前の状態を示す斜視図、図５は連結金具ベースを連結アルミベースに固定する前の状態を示す斜視図、図６は蓋用プレートを連結アルミベースに固定する前の状態を示す斜視図である。
【００１９】
図１において、引用符号１は扉２を自動開閉するための自動ドア装置を示している。自動ドア装置１は、特に限定するものではないが、既存の扉２に後付けされる装置であって、扉２よりも天井側となる位置に取り付けられている。尚、本形態の扉２は下戸車３を有する引戸（片引）であるが、これに限定されないものとする。
【００２０】
自動ドア装置１は、ベース４と、図示しないコントロールボックスと、駆動部５と、モータープーリ６と、従動プーリ７と、タイミングベルト８と、タイミングベルト金具９と、カバー１０と、オドリ止め１１とを備えて構成されている（これらは公知の構成であり説明を省略する）。また、自動ドア装置１は、本発明のドア連結ベースセット１２を備えて構成されている。ドア連結ベースセット１２は、扉２の上枠１３の中央位置に取り付け固定されるとともに、後述する連結金具ベース１４を介してタイミングベルト８側に取り付けられている。以下、図１ないし図６を参照しながら本発明のドア連結ベースセット１２について説明する。
【００２１】
ドア連結ベースセット１２は、複数のボルト１５及びナット１６と、連結アルミベース１７と、扉連結ベース１８と、上記連結金具ベース１４と、蓋用プレート１９と、複数の取付用のビス２０、２１とを備えて構成されている。ドア連結ベースセット１２は、扉２の上枠１３から装置本体の取り付け面２２までの寸法に応じて連結金具ベース１４の位置を調整することができるように構成されている。言い換えれば、自動ドア装置１を後付けする際に、上枠１３から取り付け面２２までの寸法に関係なく、一種類のドア連結ベースセット１２のみで対応することができるようになっている。
【００２２】
尚、本形態の図は、上枠１３から取り付け面２２までの寸法が最小値となる場合で図示されているものとする。
【００２３】
ボルト１５は、座板２３と、この座板２３に立設する雄ネジ２４とを有している。座板２３は、板状の部分であって、後述するボルトスライド溝２８に対する差し込み側にＲ（又はテーパ）が付くように形成されている。ボルト１５は、これを後述するボルトスライド溝２８においてスライドさせるために必要な構造を有している。ナット１６は、皿バネ付きのものが用いられている。
【００２４】
連結アルミベース１７は、アルミニウム（他の材質であっても良いものとする）の押出品であって、長尺の押出品状態から必要長さで切断することにより形成されている。連結アルミベース１７は、扉２の上枠１３から装置本体の取り付け面２２までの寸法に合わせて全長が設定されている。連結アルミベース１７は、下壁２５、左側壁２６、及び右側壁２７を有するとともに、正面、背面、及び上面が開口する、図示のようなコ字状の形状に形成されている（この形状で押し出されている）。
【００２５】
下壁２５の内面には、押出方向にのびるボルトスライド溝２８が三つ、等間に並んで形成されている（数は一例であるものとする）。各ボルトスライド溝２８には、ボルト１５が差し込まれてこのボルト１５がスライドするようになっている。各ボルトスライド溝２８は、逆Ｌ字状の一対の座板押さえ部２９を対向するように配置して形成されている。逆Ｌ字状の一対の座板押さえ部２９は、ボルト１５の座板２３を押さえ込むような形状に形成されている。各ボルトスライド溝２８の上面（逆Ｌ字状の一対の座板押さえ部２９の上面）は、平坦に形成されている。この上面は、連結金具ベース１４が載せられ、また、この連結金具ベース１４がスライドするようになっている。上面には、連結金具ベース１４のスライド量を示す位置調節部材（連結金具調整シール３０）が設けられている。
【００２６】
連結金具調整シール３０は、連結アルミベース１７の正面側の端面位置に合わせて設けられている。連結金具調整シール３０には、目盛りが記されており、調整寸法が分かるようになっている。
【００２７】
左側壁２６及び右側壁２７の内側には、それぞれ突条（凸となる部分。符号省略）が複数形成されている。この突条は、連結アルミベース１７の正面側の端面において、ビスホール３１を形成するようになっている。突条は、連結金具ベース１４が仮に捻れようとする場合にこれを阻止することができるような機能を有している。突条は、連結金具ベース１４のガイドとしての機能も有している。連結アルミベース１７は、この正面側及び背面側の各端面が平行となるように形成されている。
【００２８】
扉連結ベース１８は、例えば鉄などの金属製のプレートをＬ字状に折り曲げて形成されている。扉連結ベース１８における一方の折り曲げ形成部分は、扉固定部３２として形成されている。また、他方の折り曲げ形成部分は、スライド固定部３３として形成されている。扉固定部３２は、扉２の上枠１３にビス止めによって固定される部分として形成されている。扉固定部３２には、ビス止め用の貫通孔３４（取付用のビス２０に対する貫通孔３４）が複数形成されている。スライド固定部３３は、ボルトスライド溝２８の上面をスライドするとともに、ボルト１５及びナット１６により固定される部分として形成されている。スライド固定部３３には、ボルト１５の雄ネジ２４を挿通するためのスリット３５と、ナット１６に対する座面３６とが形成されている。
【００２９】
連結金具ベース１４は、扉連結ベース１８と同様に、例えば鉄などの金属製のプレートを何回か折り曲げて図示のような形状に形成されている。連結金具ベース１４には、タイミングベルト８側に取り付けられる連結部３７と、ボルトスライド溝２８の上面をスライドしボルト１５及びナット１６により固定されるスライド固定部３８とが形成されている。連結部３７には、タイミングベルト８側の連結部分を差し込むことができるスリット３９が形成されている。スライド固定部３８には、ボルト１５の雄ネジ２４を挿通するためのスリット４０と、ナット１６に対する座面４１とが形成されている。
【００３０】
蓋用プレート１９は、例えばアルミニウムや鉄などの金属製のプレートであって（樹脂製のプレートなどでも可能）、連結アルミベース１７の正面側の開口を覆うことができるような形状に形成されている。蓋用プレート１９には、取付用のビス２１に対する一対の貫通孔４２が形成されている。一対の貫通孔４２は、連結アルミベース１７における左側壁２６及び右側壁２７のビスホール３１の位置に対応するように配置形成されている。
【００３１】
次に、上記構成に基づきながら、ドア連結ベースセット１２の取り付けについて説明する。取り付けは、例えば下記の第一工程から第五工程までを順に経ることにより行われる（一例であるものとする）。尚、自動ドア装置１の本体側の取り付けについては公知であることからここでの説明は省略するものとする。
【００３２】
第一工程では、扉２の上枠１３の中央位置に複数の下穴４３を形成する作業を行う。複数の下穴４３は、扉連結ベース１８のビス止め用の貫通孔３４に対応するように形成される。第二工程では、ボルト１５を二つ、連結アルミベース１７のボルトスライド溝２８に差し込むとともに、各ボルト１５の雄ネジ２４を扉連結ベース１８におけるスライド固定部３３のスリット３５に挿通し、そして、ナット１６を軽く締め付けて、扉連結ベース１８と連結アルミベース１７との仮固定状態を形成する作業を行う。
【００３３】
第三工程では、仮固定状態となった扉連結ベース１８と連結アルミベース１７とを扉２の上枠１３に固定する作業を行う。具体的には、先ず、扉連結ベース１８の扉固定部３２をビス２０（図中では六角ボルト）を用いて扉２の上枠１３に固定する作業を行い、次に、連結アルミベース１７を上枠１３に押し付けた状態でナット１６を所定のトルクで締め付けて扉連結ベース１８と連結アルミベース１７との本固定状態を形成する作業を行う。このような第三工程での作業が終わると、扉固定部３２と上枠１３との固定部分、及び、扉連結ベース１８におけるボルト１５とナット１６の固定部分は、連結アルミベース１７によって囲まれた状態になる。
【００３４】
第四工程では、ボルト１５を二つ、連結アルミベース１７のボルトスライド溝２８に差し込むとともに、ボルトスライド溝２８の上面において連結金具ベース１４をスライドさせて、この連結金具ベース１４の位置合わせをし、そして、連結金具ベース１４におけるスライド固定部３８のスリット４０に各ボルト１５の雄ネジ２４を挿通し、最後に、ナット１６を所定のトルクで締め付けて、連結金具ベース１４と連結アルミベース１７との固定状態を形成する作業を行う。
【００３５】
第五工程では、ビス２１を用いて蓋用プレート１９を連結アルミベース１７の正面側の端面に固定する作業を行う。蓋用プレート１９が取り付けられると、連結金具ベース１４におけるボルト１５とナット１６の固定部分が隠れた状態になる。第五工程の作業が終わると、一連の工程が完了する。すなわち、扉２の上枠１３に対する本発明のドア連結ベースセット１２の取り付けが完了する。
【００３６】
以上、図１ないし図６を参照しながら説明してきたように、本発明のドア連結ベースセット１２においては、扉２の上枠１３から装置本体の取り付け面２２までの寸法に合わせた全長の連結アルミベース１７を切断によって一つ用意すればよいことになる。連結アルミベース１７は、押出品でありコ字状に形成されることから、従来例のような単なるプレートで対応するよりも格段に高い強度を有する。
【００３７】
また、本発明のドア連結ベースセット１２においては、ボルト１５及びナット１６による締め付け固定の部分がコ字状の連結アルミベース１７の内側となり、扉連結ベース１８と扉２との固定部分もコ字状の連結アルミベース１７で囲われることから、見栄えの向上やいたずら対策に効果を奏する。
【００３８】
さらに、本発明のドア連結ベースセット１２においては、連結アルミベース１７の正面が蓋用プレート１９で覆われることから、ボルト１５及びナット１６による締め付け固定の部分を隠すことができる。従って、見栄えの向上やいたずら対策に効果を奏する。また、連結アルミベース１７の正面が蓋用プレート１９で覆われることから、例えば運搬物などの引っ掛かりも阻止することができる（この他、手などを掛けることも防止できる）。
【００３９】
続いて、図７ないし図９を参照しながら本発明の他の一実施の形態を説明する。図７はドア連結ベースセットの他の一実施の形態を示す図であり、図７（ａ）は自動ドア装置の概略構成図、図７（ｂ）は自動ドア装置及び扉の正面図である。また、図８は連結金具ベースを連結アルミベースに固定する前の状態を示す斜視図、図９は蓋用プレートを連結アルミベースに固定する前の状態を示す斜視図である。
【００４０】
図７において、引用符号１′は扉２、２′を自動開閉するための自動ドア装置を示している。自動ドア装置１′は、特に限定するものではないが、既存の扉２、２′に後付けされる装置であって、扉２、２′よりも天井側となる位置に取り付けられている。扉２、２′は、それぞれ下戸車３を有する引戸（引分）になっている。
【００４１】
自動ドア装置１′は、ベース４′と、図示しないコントロールボックスと、駆動部５と、モータープーリ６と、従動プーリ７と、タイミングベルト８′と、タイミングベルト金具９及びタイミングベルト押さえ金具９′と、カバー１０′と、オドリ止め１１とを備えて構成されている（これらは公知の構成であり説明を省略する）。また、自動ドア装置１′は、本発明のドア連結ベースセット１２、１２′を備えて構成されている。
【００４２】
ドア連結ベースセット１２は、扉２の上枠１３の中央位置に固定されるとともに、連結金具ベース１４を介してタイミングベルト８′側に取り付けられている（ドア連結ベースセット１２は、上述の形態通りであるので説明を省略するものとする）。ドア連結ベースセット１２′は、扉２′の上枠１３の中央位置に取り付け固定されるとともに、後述する連結金具ベース１４′を介してタイミングベルト８′側に取り付けられている。以下、図７ないし図９を参照しながら本発明のドア連結ベースセット１２′について説明する。
【００４３】
ドア連結ベースセット１２′は、複数のボルト１５及びナット１６と、連結アルミベース１７と、扉連結ベース１８と、上記連結金具ベース１４′と、蓋用プレート１９と、複数の取付用のビス２０、２１とを備えて構成されている。ドア連結ベースセット１２′は、扉２′の上枠１３から装置本体の取り付け面２２までの寸法に応じて連結金具ベース１４′の位置を調整することができるように構成されている。尚、上述のドア連結ベースセット１２と基本的に同じ構成部材には同一の符号を付している。以下、異なる構成部材についてのみ説明する。
【００４４】
連結金具ベース１４′は、例えば鉄などの金属製のプレートを何回か折り曲げて図示のような形状に形成されている。連結金具ベース１４′には、タイミングベルト８′側に取り付けられる押さえ金具固定部４４と、連結アルミベース１７におけるボルトスライド溝２８の上面をスライドし、ボルト１５及びナット１６により固定されるスライド固定部３８とが形成されている。押さえ金具固定部４４には、六角ボルト４５を挿通するための貫通孔４６が二つ形成されている。押さえ金具固定部４４には、タイミングベルト８′を挟むようにして取り付くタイミングベルト押さえ金具９′が固定されるようになっている。タイミングベルト押さえ金具９′の固定は、六角ボルト４５と皿バネ付きのナット４７とを用いて行われている。スライド固定部３８には、ボルト１５の雄ネジ２４を挿通するためのスリット４０と、ナット１６に対する座面４１とが形成されている。連結金具ベース１４′は、押さえ金具固定部４４とスライド固定部３８との間が上述の連結金具ベース１４よりも長くなるように形成されている。
【００４５】
上記構成において、ドア連結ベースセット１２′の取り付けに関しては、上述の第一工程から第五工程までと基本的に同じであることから、ここでは説明を省略するものとする。また、効果に関しても上述のドア連結ベースセット１２と同じであり、省略するものとする。
【００４６】
続いて図１０を参照しながら蓋用プレートの他の例を説明する。図１０は蓋用プレートの他の例を示す斜視図である。
【００４７】
図１０において、蓋用プレート１９′は、連結アルミベース１７の正面側の開口を覆うことができるような形状に形成されている。蓋用プレート１９′には、ビス止め用の貫通孔がなく、代わりに連結アルミベース１７側の面に内側固定部４８が一体に設けられている。蓋用プレート１９′は、内側固定部４８を有することにより、連結アルミベース１７のボルトスライド溝２８に差し込まれる雌ネジ部材４９と、六角ボルト５０（ビスでもよい）とにより、連結アルミベース１７の内側で固定されるようになっている。蓋用プレート１９′を用いることにより、外観から全くビスが露出しない状態にすることができる。従って、見栄えの向上やいたずら対策に効果を奏する。
【００４８】
以上、本発明によれば、頑丈で引っ掛かり難く、また、いたずらを受け難く、さらに、見栄えも良い自動ドア装置のドア連結ベースセット１２、１２′を提供することができるという効果を奏する。
【００４９】
その他、本発明は本発明の主旨を変えない範囲で種々変更実施可能なことは勿論である。
【図面の簡単な説明】
【００５０】
【図１】本発明の自動ドア装置のドア連結ベースセットの一実施の形態を示す図であり、（ａ）は自動ドア装置の概略構成図、（ｂ）は自動ドア装置及び扉の正面図である。
【図２】ドア連結ベースセットの斜視図である。
【図３】連結アルミベース、扉連結ベース、ボルト及びナットの斜視図である。
【図４】連結アルミベースを扉に固定する前の状態を示す斜視図である。
【図５】連結金具ベースを連結アルミベースに固定する前の状態を示す斜視図である。
【図６】蓋用プレートを連結アルミベースに固定する前の状態を示す斜視図である。
【図７】本発明の自動ドア装置のドア連結ベースセットの他の一実施の形態を示す図であり、（ａ）は自動ドア装置の概略構成図、（ｂ）は自動ドア装置及び扉の正面図である。
【図８】連結金具ベースを連結アルミベースに固定する前の状態を示す斜視図である。
【図９】蓋用プレートを連結アルミベースに固定する前の状態を示す斜視図である。
【図１０】蓋用プレートの他の例を示す斜視図である。
【符号の説明】
【００５１】
１、１′  自動ドア装置
２、２′  扉
３  下戸車
４  ベース
５  駆動部
６  モータープーリ
７  従動プーリ
８  タイミングベルト
９  タイミングベルト金具
９′  タイミングベルト押さえ金具
１０  カバー
１１  オドリ止め
１２、１２′  ドア連結ベースセット
１３  上枠
１４、１４′  連結金具ベース
１５  ボルト
１６  ナット
１７  連結アルミベース
１８  扉連結ベース
１９、１９′  蓋用プレート
２０、２１  ビス
２２  取り付け面
２３  座板
２４  雄ネジ
２５  下壁
２６  左側壁
２７  右側壁
２８  ボルトスライド溝
２９  座板押さえ部
３０  連結金具調整シール（位置調節部材）
３１  ビスホール
３２  扉固定部
３３、３８  スライド固定部
３４、４２  貫通孔
３５、３９、４０  スリット
３６、４１  座面
３７  連結部
４３  下穴
４４  押さえ金具固定部
４５  六角ボルト
４６  貫通孔
４７  ナット
４８  内側固定部
４９  雌ネジ部材
５０  六角ボルト
【図１】
2008101328.tif 000003
【図２】
2008101328.tif 000004
【図３】
2008101328.tif 000005
【図４】
2008101328.tif 000006
【図５】
2008101328.tif 000007
【図６】
2008101328.tif 000008
【図７】
2008101328.tif 000009
【図８】
2008101328.tif 000010
【図９】
2008101328.tif 000011
【図１０】
2008101328.tif 000012